(57)【要約】【課題】ダウンタイムの短縮を図ることができる画像形成装置を提供する。【解決手段】画像形成装置１は、画像形成部４０と、制御部１０とを備える。画像形成部４０は、用紙（記録媒体）に画像を形成する。制御部１０は、画像形成部４０を制御する。制御部１０は、電源を切断する前から電源を投入した後の間のユーザーの指示に基づいて、画像形成部４０の動作異常を推測し、推測の結果に応じて、画像形成部４０が画像キャリブレーションを実行するべきか否かを判定する。【選択図】図２
2020134819.tif 000002
【特許請求の範囲】
【請求項１】
記録媒体に画像を形成する画像形成部と、
前記画像形成部を制御する制御部と、
を備え、
前記制御部は、
電源を切断する前から前記電源を投入した後の間のユーザーの指示に基づいて、前記画像形成部の動作異常を推測し、
前記推測の結果に応じて、前記画像形成部が画像キャリブレーションを実行するべきか否かを判定する、画像形成装置。
【請求項２】
前記電源が切断される所定の時刻を記憶する記憶部を更に備え、
前記制御部は、前記電源が切断された時刻と前記所定の時刻とが異なる場合、前記画像形成部が前記画像キャリブレーションを実行するべきであると判定する、請求項１に記載の画像形成装置。
【請求項３】
前記電源が切断された後前記電源が投入されるまでの所定の時間を記憶する記憶部を更に備え、
前記制御部は、前記電源が切断されて前記電源が投入されるまでの時間と前記所定の時間とが異なる場合、前記画像形成部が前記画像キャリブレーションを実行するべきであると判定する、請求項１又は請求項２に記載の画像形成装置。
【請求項４】
前記電源が切断される前に実行していたジョブを示すデータを記憶する記憶部を更に備え、
前記制御部は、前記電源が切断される前に実行していたジョブと、前記電源が投入された後に実行するジョブとが同一である場合、前記画像形成部が前記画像キャリブレーションを実行するべきであると判定する、請求項１から請求項３のいずれか１項に記載の画像形成装置。
【請求項５】
前記電源が切断される前に発生したエラーを示すデータを記憶する記憶部を更に備え、
前記制御部は、前記電源が切断された後電源が投入されると前記エラーに対する対応処理を実行する、請求項１から請求項４のいずれか１項に記載の画像形成装置。
【請求項６】
前記画像形成部は、
キャリブレーション画像が形成される中間ベルトと、
前記キャリブレーション画像の濃度を検出する濃度センサーと
を有し、
前記制御部は、前記キャリブレーション画像を使用して、前記画像キャリブレーションを実行するように前記画像形成部を制御する、請求項１から請求項５のいずれか１項に記載の画像形成装置。
【請求項７】
ユーザーにジョブの再実行を促すリトライ画面を表示する表示部を更に備え、
前記制御部は、前記画像キャリブレーションが成功した場合、前記表示部が前記リトライ画面を表示するように前記表示部を制御する、請求項１から請求項６のいずれか１項に記載の画像形成装置。
【請求項８】
前記制御部は、前記画像キャリブレーションが失敗した場合、前記画像キャリブレーションを除く調整処理を実行するように前記画像形成部を制御する、請求項１から請求項６のいずれか１項に記載の画像形成装置。
【請求項９】
サービスマンの呼出を要請する呼出画面を表示する表示部を更に備え、
前記制御部は、前記調整処理の実行回数が所定回数を超えても前記画像キャリブレーションが成功しない場合、前記呼出画面を表示するように前記表示部を制御する、請求項８に記載の画像形成装置。
【発明の詳細な説明】
【技術分野】
【０００１】
本発明は、画像形成装置に関する。
【背景技術】
【０００２】
画像形成装置は、故障予測や自己診断、自己修復といった機能を搭載している。
【０００３】
例えば、特許文献１に記載の画像形成装置は、オプション機器の異常を検知し、異常が発生したオプション機器を再起動する。特許文献１に記載の画像形成装置は、オプション機器が再起動しても正常に機能しなければ、オプション機器との通信を切り離す。
【先行技術文献】
【特許文献】
【０００４】
【特許文献１】特開２０１２−５１２０５号公報
【発明の概要】
【発明が解決しようとする課題】
【０００５】
特許文献１に記載の画像形成装置は、オプション機器の異常を検知した場合、オプション機器を復旧するためにオプション機器全体の電源を切断した後電源を投入することによって、オプション機器全体を再起動する。したがって、特許文献１に記載の画像形成装置は、異常が発生した箇所のみを修復していない。その結果、特許文献１に記載の画像形成装置は、ダウンタイムが長くなる。
【０００６】
本発明は、上記課題に鑑みてなされたものであり、ダウンタイムの短縮を図ることができる画像形成装置を提供することを目的としている。
【課題を解決するための手段】
【０００７】
本発明に係る画像形成装置は、画像形成部と、制御部とを備える。前記画像形成部は、記録媒体に画像を形成する。前記制御部は、前記画像形成部を制御する。前記制御部は、電源を切断する前から前記電源を投入した後の間のユーザーの指示に基づいて、前記画像形成部の動作異常を推測し、前記推測の結果に応じて、前記画像形成部が画像キャリブレーションを実行するべきか否かを判定する。
【発明の効果】
【０００８】
本発明の画像形成装置によれば、ダウンタイムを短縮を図ることができる。
【図面の簡単な説明】
【０００９】
【図１】本発明の実施形態に係る画像形成装置の構成を示す図である。
【図２】本発明の実施形態に係る画像形成装置の構成を示すブロック図である。
【図３】本発明の実施形態に係る画像形成装置の動作を示すフローチャートである。
【図４】本発明の実施形態に係る画像形成装置の動作を示すフローチャートである。
【図５】本発明の実施形態に係る画像形成装置の動作を示すフローチャートである。
【図６】本発明の実施形態に係るリトライ画面を示す図である。
【図７】本発明の実施形態に係る呼出画面を示す図である。
【発明を実施するための形態】
【００１０】
以下、本発明の実施形態について、図１から図７を参照しながら説明する。なお、図中、同一又は相当部分については同一の参照符号を付して説明を繰り返さない。
【００１１】
まず、図１を参照して、本発明の実施形態に係る画像形成装置１について説明する。図１は、本実施形態に係る画像形成装置１の構成を示す図である。本発明の実施形態１の画像形成装置１は、カラー複合機である。
【００１２】
図１に示すように、画像形成装置１は、用紙Ｐに画像を形成する。用紙Ｐは、記録媒体の一例である。用紙Ｐは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１３】
図１に示すように、画像形成装置１は、操作部２０、給紙部３０、画像形成部４０、搬送部６０、定着部７０、第１用紙検出部８１、第２用紙検出部８２、第３用紙検出部８３、記憶部９及び制御部１０を備える。
【００１４】
操作部２０は、各種の画面を表示する。操作部２０は、ユーザーによる操作を受付ける。操作部２０は、電源の投入と、電源の切断とを受付ける。操作部２０は、タッチパネルと、電源スイッチ２０ｃとを有する。
【００１５】
タッチパネルは、ディスプレー２０ａ、及びタッチセンサー２０ｂを有する。ディスプレー２０ａは、表示部の一例である。
【００１６】
ディスプレー２０ａは、各種の画面を表示する。ディスプレー２０ａは、例えば、液晶ディスプレー、又は有機ＥＬ（ｅｌｅｃｔｒｏｌｕｍｉｎｅｓｃｅｎｃｅ）ディスプレーである。
【００１７】
タッチセンサー２０ｂは、ユーザーによる操作を受付ける。タッチセンサー２０ｂは、ディスプレー２０ａの表示面に重畳するように配置されている。
【００１８】
電源スイッチ２０ｃは、画像形成装置１の電源の投入と切断とを切り換える。電源スイッチ２０ｃは、ユーザーによる電源の投入と、電源の切断とを受付ける。
【００１９】
給紙部３０は、複数のカセット３１を有する。各カセット３１は、複数の用紙Ｐを収容する。カセット３１から給紙された用紙Ｐは、搬送部６０へ搬送される。
【００２０】
搬送部６０は、所定の搬送経路に沿って用紙Ｐを搬送する。搬送部６０は、排出トレイ６１と、複数のガイド板と、複数の搬送ローラー対とを有する。複数のガイド板が所定の搬送経路を形成し、複数の搬送ローラー対は、所定の搬送経路に沿って配置される。複数の搬送ローラー対が回転することにより、用紙Ｐが搬送される。詳しくは、用紙Ｐは、画像形成部４０を経由して、排出トレイ６１まで搬送される。
【００２１】
画像形成部４０は、用紙Ｐに画像を形成する。画像形成部４０は、電子写真方式によってトナー像を形成する。換言すると、画像形成部４０は、トナーを用いてトナー像を形成する。
【００２２】
画像形成部４０は、第１画像形成ユニット４０ｙ、第２画像形成ユニット４０ｃ、第３画像形成ユニット４０ｍ、及び第４画像形成ユニット４０ｋを有する。画像形成部４０は、露光装置４２、転写部５０、及び濃度センサー８４を更に有する。
【００２３】
第１画像形成ユニット４０ｙは、イエロー色のトナー像を形成する。第２画像形成ユニット４０ｃは、シアン色のトナー像を形成する。第３画像形成ユニット４０ｍは、マゼンタ色のトナー像を形成する。第４画像形成ユニット４０ｋは、ブラック色のトナー像を形成する。
【００２４】
第１画像形成ユニット４０ｙ、第２画像形成ユニット４０ｃ、第３画像形成ユニット４０ｍ、及び第４画像形成ユニット４０ｋの構成は、略同一である。したがって、以下、第１画像形成ユニット４０ｙの構成について説明し、第２画像形成ユニット４０ｃ、第３画像形成ユニット４０ｍ、及び第４画像形成ユニット４０ｋの構成についての説明を省略する。
【００２５】
第１画像形成ユニット４０ｙは、感光体ドラム４１と、帯電装置４３と、現像装置４４とを有する。
【００２６】
帯電装置４３は、感光体ドラム４１を帯電させる。露光装置４２は、帯電した感光体ドラム４１にレーザー光を照射する。これにより、感光体ドラム４１の表面に静電潜像が形成される。現像装置４４は、感光体ドラム４１の表面にトナーを供給する。この結果、静電潜像が現像されて、トナー像が形成される。
【００２７】
転写部５０は、中間ベルト５１を有する。中間ベルト５１は、移動方向Ｄに沿って進む。第１画像形成ユニット４０ｙから第４画像形成ユニット４０ｋは、中間ベルト５１の表面にトナー像を形成する。転写部５０は、中間ベルト５１の表面に形成されたトナー像を用紙Ｐに転写する。換言すると、転写部５０は、二次転写方式によってトナー像を用紙Ｐに転写する。中間ベルト５１には、キャリブレーション画像も形成される。キャリブレーション画像は、一定間隔で並んだ複数の矩形状画像を含む。複数の矩形状画像は、一方向に沿ってトナー濃度が濃くなるように設定されている。キャリブレーション画像は、画像キャリブレーションの実行時に中間ベルト５１に形成される。
【００２８】
濃度センサー８４は、中間ベルト５１に転写されたトナー像の濃度を検出する。詳しくは、濃度センサー８４は、トナー像の反射率を示す信号を生成する。トナー像の反射率は、トナー像の濃度に対応する。濃度センサー８４は、画像キャリブレーションの実行時に、キャリブレーション画像の濃度を検出する。詳しくは、キャリブレーション画像に含まれる矩形状画像のそれぞれの濃度を検出する。濃度センサー８４から出力される信号は、制御部１０に入力される。濃度センサー８４は、第４画像形成ユニット４０ｋの下流に配置される。
【００２９】
濃度センサー８４は、例えば、反射率センサー、又は画像センサーである。反射率センサーは、光を出射し、トナー像からの反射光を受光する。反射率センサーは、反射光に基づいて、反射率を示す信号を出力する。画像センサーは、ＣＣＤ（Ｃｈａｒｇｅ  Ｃｏｕｐｌｅｄ  Ｄｅｖｉｃｅ）のような撮像素子を含む。画像センサーは、トナー像を撮影して、撮像信号を出力する。撮像信号は、トナー像の反射率を示す。
【００３０】
定着部７０は、加熱部材７１及び加圧部材７２を含む。加熱部材７１、及び加圧部材７２は互いに対向して配置され、定着ニップを形成する。搬送部６０は、定着ニップを通過するように用紙Ｐを搬送する。トナー像が形成された用紙Ｐは、定着ニップを通過することにより加熱、及び加圧される。この結果、用紙Ｐに形成されたトナー像が用紙Ｐに定着する。
【００３１】
第１用紙検出部８１、第２用紙検出部８２及び第３用紙検出部８３は、搬送経路に沿って配置される。第１用紙検出部８１、第２用紙検出部８２及び第３用紙検出部８３の各々は、用紙Ｐの先端と終端とを検出する。第１用紙検出部８１、第２用紙検出部８２及び第３用紙検出部８３の各々は、例えば、フォトセンサーによって構成される。第１用紙検出部８１、第２用紙検出部８２及び第３用紙検出部８３の各々は、用紙Ｐの先端の通過を示す情報と、用紙Ｐの終端の通過を示す信号とを制御部１０に出力する。
【００３２】
第１用紙検出部８１は、給紙部３０と転写部５０との間に配置される。第２用紙検出部８２は、転写部５０と定着部７０との間に配置される。第３用紙検出部８３は、定着部７０と排出トレイ６１との間に配置される。
【００３３】
記憶部９は、制御プログラム、及び各種データを記憶する。記憶部９は、ＤＲＡＭ（Ｄｙｎａｍｉｃ  Ｒａｎｄｏｍ  Ａｃｃｅｓｓ  Ｍｅｍｏｒｙ）のような揮発性メモリー、及びフラッシュメモリーのような不揮発性メモリーを備える。記憶部９は、更に、不揮発性の大容量記憶装置であるＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）を備えてもよい。記憶部９については、図２を参照して後述する。
【００３４】
制御部１０は、画像形成装置１が備える各部を制御することによって、各種ジョブの実行を制御する。ジョブは、例えば、印刷（プリント）、画像読取（スキャン）、コピー、ＦＡＸ送信、及びＦＡＸ受信である。
【００３５】
制御部１０は、ＣＰＵ（Ｃｅｎｔｒａｌ  Ｐｒｏｃｅｓｓｉｎｇ  Ｕｎｉｔ）のようなプロセッサーによって構成される。また、制御部１０は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部１０については、図２を参照して後述する。
【００３６】
次に、図２を参照して、本実施形態に係る画像形成装置１の構成について更に説明する。図２は、本発明の実施形態に係る画像形成装置１の構成を示すブロック図である。図２に示すように、画像形成装置１は、時計部８５を更に備えている。時計部８５は、現在時刻を管理し、現在時刻を示す信号を制御部１０に出力する。
【００３７】
図２に示すように、記憶部９は、各種データを不揮発性メモリーに記憶する。各種データは、所定時刻データ９１、所定時間データ９２、ジョブデータ９３、エラーデータ９４、所定回数データ９５、及びキャリブレーションデータ９６である。また、記憶部９は、電源が最後に切断された切断時刻を不揮発性メモリーに記憶する。
【００３８】
所定時刻データ９１は、所定時刻を示す。所定時刻は、電源が切断される所定の時刻を示す。所定時刻は、例えば、１９時である。所定時刻は、所定の時間帯を示してもよい。所定の時間帯は、例えば、１８時３０分から１９時３０分である。電源が、所定の時間帯に切断された場合、電源は所定時刻に切断されたとみなされる。
【００３９】
所定時間データ９２は、所定時間を示す。所定時間は、電源が切断された後電源が投入されるまでの時間である。所定時間は、例えば、１分である。所定時間は、所定の時間幅を示してもよい。所定の時間幅は、例えば、３０秒から１分３０秒である。この場合、電源が切断された後電源が投入されるまでの時間が、３０秒から１分３０秒までの時間であれば、所定時間の間に電源が投入されたとみなされる。
【００４０】
ジョブデータ９３は、電源が切断される前に画像形成装置１が実行していたジョブを示す。ジョブデータ９３は、例えば、ジョブのユーザー、ジョブで使用するファイルのファイル名、ジョブの種類を示す。ジョブの種類は、例えば、印刷（プリント）、画像読取（スキャン）、コピー、ＦＡＸ送信、及びＦＡＸ受信である。記憶部９は、ジョブデータ９３として、ジョブで使用するファイルを記憶してもよい。ジョブで使用するファイルは、例えば、印刷ジョブで用紙Ｐに印刷される画像を示すデータである。
【００４１】
エラーデータ９４は、電源が切断される前に画像形成装置１で発生したエラーを示す。エラーデータ９４は、例えば、転写部５０から定着部７０の間の搬送経路に紙詰まりが発生し、電源スイッチ２０ｃが切断される前に紙詰まりが解消していないことを示す。
【００４２】
所定回数データ９５は、所定回数を示す。所定回数は、実行回数に対して設定される閾値である。実行回数は、制御部１０が画像キャリブレーションを画像形成部４０に実行させた回数である。画像キャリブレーションは、各トナーの量、及び各トナー間の量のバランスを調節するための処理である。制御部１０は、濃度センサー８４から出力される信号に基づいて、各トナーの量、及び各トナー間の量のバランスを調節する。所定回数は、例えば、３回である。
【００４３】
キャリブレーションデータ９６は、キャリブレーション画像を示す画像データである。
【００４４】
制御部１０は、電源が切断された時刻を示す切断時刻を記憶部９に記録させる。詳しくは、制御部１０は、時計部８５から出力される信号に基づいて、電源スイッチ２０ｃが切断された時刻を特定し、記憶部９に切断時刻を示すデータを記憶させる。
【００４５】
制御部１０は、電源を切断する前から電源を投入した後の間のユーザーの指示に基づいて、画像形成部４０の動作異常を推測する。制御部１０は、推測の結果に応じて、画像形成部４０が画像キャリブレーションを実行するべきか否かを判定する。具体的には、以下のように判定する。
【００４６】
制御部１０は、切断時刻と所定時刻とが同一であるか否かを判定する。制御部１０は、切断時刻と所定時刻と同一でないと判定した場合、画像形成部４０が画像キャリブレーションをするべきであると判定する。
【００４７】
制御部１０は、時計部８５から出力される信号に基づいて、電源が投入された時刻と、切断時刻との間の時間を示す経過時間を算出する。制御部１０は、経過時間と、所定時間とが同一であるか否かを判定する。制御部１０は、経過時間と、所定時間とが同一でないと判定した場合、画像形成部４０が画像キャリブレーションをするべきであると判定する。
【００４８】
制御部１０は、ジョブデータ９３に基づいて、電源が切断される前に実行していたジョブと、電源が投入された後に実行するジョブとが、同一であるか否かを判定する。制御部１０は、電源が切断される前に実行していたジョブと、電源が投入された後に実行するジョブとが同一であると判定した場合、画像形成部４０が画像キャリブレーションをするべきであると判定する。
【００４９】
また、制御部１０は、エラーが発生した場合、エラーデータ９４を記憶部９に記憶させる。制御部１０は、電源が切断された後、電源が投入されるとエラーに対する対応処理を実行する。対応処理は、例えば、エラーを解消するためにユーザーが行う作業を示すメッセージをディスプレー２０ａに表示することである。
【００５０】
制御部１０は、エラーの一つである紙詰まりを検出する。詳しくは、制御部１０は、第１用紙検出部８１、第２用紙検出部８２、及び第３用紙検出部８３から、用紙Ｐの先端の通過を示す情報と、用紙Ｐの終端の通過を示す情報を受信する。制御部１０は、用紙Ｐの先端の通過を示す情報を受信してから、用紙Ｐの終端の通過を示す情報を受信するまでの時間が、規定の時間以内であるか否かに基づいて、紙詰まりの発生を検出する。なお、規定の時間は、用紙Ｐの大きさ、用紙Ｐの平滑度、及び用紙Ｐの種類によって予め設定される。
【００５１】
エラーデータ９４が紙詰まりを示す場合、制御部１０は、対応策として、紙詰まりを発生させた用紙Ｐが搬送経路から取り除きやすい位置まで移動するように、搬送ローラー対を駆動する処理を実行する。
【００５２】
制御部１０は、画像キャリブレーションを実行するように、画像形成部４０を制御する。詳しくは、制御部１０は、中間ベルト５１上にキャリブレーション画像を形成するように画像形成部４０を制御する。濃度センサー８４は、キャリブレーション画像の反射率を示す信号を生成する。制御部１０は、濃度センサー８４が生成した信号に基づいて、各トナーの量、及び各トナー間の量のバランスを調整する。
【００５３】
制御部１０は、画像キャリブレーションが成功した場合、リトライ画面を表示するようにディスプレー２０ａを制御する。リトライ画面については、図６を参照して後述する。
【００５４】
制御部１０は、画像キャリブレーションが失敗した場合、画像キャリブレーションを除く調整処理を実行するように画像形成部４０を制御する。画像キャリブレーションを除く調整処理は、例えば、感光体ドラム４１の調整、及び現像装置４４の調整を含む。
【００５５】
制御部１０は、調整処理の実行回数が所定回数を超えても画像キャリブレーションが成功しない場合、呼出画面を表示するようにディスプレー２０ａを制御する。呼出画面については、図７を参照して後述する。
【００５６】
次に、図２〜図５を参照して、本実施形態の画像形成装置１の動作について説明する。図３〜図５は、本発明の実施形態に係る画像形成装置１の動作を示すフローチャートである。図３〜図５に示す画像形成装置１の動作は、ユーザーが画像形成装置１にジョブの実行を指示することによって開始する。
【００５７】
ステップＳ１０１において、画像形成装置１が、ジョブを実行する。
【００５８】
ステップＳ１０２において、制御部１０が、ジョブデータ９３を記憶部９に記憶させる。動作はステップＳ１０３に進む。
【００５９】
ステップＳ１０３において、エラーが発生したか否かを制御部１０が判定する。エラーが発生したと制御部１０が判定した場合（ステップＳ１０３のＹｅｓ）は、動作はステップＳ１０４に進む。エラーは発生していないと制御部１０が判定した場合（ステップＳ１０３のＮｏ）は、動作はステップＳ１０５に進む。
【００６０】
ステップＳ１０４において、制御部１０が、エラーデータ９４を記憶部９に記憶させる。動作はステップＳ１０５に進む。
【００６１】
ステップＳ１０５において、制御部１０が、電源の切断に応じて、切断時刻を記憶部９に記憶させる。ユーザーが電源スイッチ２０ｃを切ることにより、電源が切断される。動作はステップＳ１０６に進む。
【００６２】
ステップＳ１０６において、制御部１０が、電源の投入に応じて、切断時刻からの経過時間を算出する。経過時間は、時計部８５が出力した現在時刻を示す信号に基づいて、現在時刻と切断時刻とから算出する。ユーザーが電源スイッチ２０ｃを投入することによって、電源が投入される。動作は図４に示すステップＳ１０７に進む。
【００６３】
ステップＳ１０７において、切断時刻が所定時刻と同一であるか否かを制御部１０が判定する。切断時刻が所定時刻と同一であると制御部１０が判定した場合（ステップＳ１０７のＹｅｓ）は、動作はステップＳ１０８に進む。切断時刻が所定時刻と同一でないと制御部１０が判定した場合（ステップＳ１０７のＮｏ）は、動作は図５に示すステップＳ１２１に進む。
【００６４】
ステップＳ１０８において、経過時間が所定時間と同一であるか否かを制御部１０が判定する。経過時間が所定時間と同一であると制御部１０が判定した場合（ステップＳ１０８のＹｅｓ）は、動作はステップＳ１０９に進む。経過時間が所定時間と同一でないと制御部１０が判定した場合（ステップＳ１０８のＮｏ）は、動作は図５に示すステップＳ１２１に進む。
【００６５】
ステップＳ１０９において、電源投入後に実行されているジョブと、ジョブデータ９３が示すジョブとが同一であるか否かを制御部１０が判定する。電源投入後に実行されているジョブと、ジョブデータ９３が示すジョブとが同一であると制御部１０が判定した場合（ステップＳ１０９のＹｅｓ）は、動作は図５に示すステップＳ１２１に進む。電源投入後に実行されているジョブと、ジョブデータ９３が示すジョブとが同一でないと制御部１０が判定した場合（ステップＳ１０９のＮｏ）は、動作はステップＳ１１０に進む。
【００６６】
ステップＳ１１０において、制御部１０は、通常起動処理を実行して、図３から図５に示す動作は完了する。具体的には、画像形成装置１は、画像キャリブレーション、感光体ドラム４１の調整、及び現像装置４４の調整をせずに起動する。画像形成装置１は、通常起動では、例えば、１５秒で起動する。
【００６７】
ステップＳ１２１において、電源投入の直前にエラーがあったが否かを制御部１０が判定する。電源投入の直前にエラーがあったと制御部１０が判定した場合（ステップＳ１２１のＹｅｓ）は、動作はステップＳ１２２に進む。電源投入の直前にエラーはなかったと制御部１０が判定した場合（ステップＳ１２１のＮｏ）は、動作はステップＳ１２３に進む。
【００６８】
ステップＳ１２２において、制御部１０は、直前のエラーに応じた処理をする。具体的には、直前のエラーが紙詰まりの場合は、制御部１０は、紙詰まりを解消するためにユーザーが行う作業を示すメッセージをディスプレー２０ａに表示させる。また、制御部１０は、対応策として、紙詰まりを発生させた用紙Ｐが搬送経路から取り除きやすい位置まで移動するように、搬送ローラー対を駆動する処理を実行する。動作はステップＳ１２３に進む。
【００６９】
ステップＳ１２３において、制御部１０は、画像形成部４０が画像キャリブレーションを実行するように制御する。動作はステップＳ１２４に進む。
【００７０】
ステップＳ１２４において、画像キャリブレーションが成功したか否かを制御部１０が判定する。具体的には、トナーの量、及び各トナー間の量のバランスを調節した後、制御部１０は、画像形成部４０に再度キャリブレーション画像を形成させて、濃度センサー８４の信号を取得する。制御部１０は、２度目の濃度測定結果に基づいて、画像キャリブレーションが成功したか否かを判定する。画像キャリブレーションが成功したと制御部１０が判定した場合（ステップＳ１２４のＹｅｓ）は、動作はステップＳ１２５に進む。画像キャリブレーションが成功していないと制御部１０が判定した場合（ステップＳ１２６のＮｏ）は、動作はステップＳ１２８に進む。
【００７１】
ステップＳ１２５において、実行回数が所定回数未満であるか否かを制御部１０が判定する。実行回数が所定回数未満であると制御部１０が判定した場合（ステップＳ１２５のＹｅｓ）は、動作はステップＳ１２６に進む。実行回数が所定回数未満でないと制御部１０が判定した場合（ステップＳ１２５のＮｏ）は、動作はステップＳ１２７に進む。
【００７２】
ステップＳ１２６において、制御部１０は、リトライ画面を表示するようにディスプレー２０ａを制御し、図３から図５に示す動作は完了する。
【００７３】
ステップＳ１２７において、制御部１０は、呼出画面を表示するようにディスプレー２０ａを制御し、図３から図５に示す動作は完了する。
【００７４】
ステップＳ１２８において、制御部１０が、画像キャリブレーションを除く調整処理を実行し、図３から図５に示す動作は完了する。
【００７５】
図６及び図７を参照して、画像形成装置１のディスプレー２０ａに表示される画面について説明する。図６は、リトライ画面Ｇ１を示す図である。リトライ画面Ｇ１は、ジョブの再実行を促す画面である。リトライ画面Ｇ１は、第１メッセージＭ１を表示する。図７に示す例において、第１メッセージＭ１は、「ジョブを再開してください。」である。
【００７６】
図７は、呼出画面Ｇ２を示す図である。呼出画面Ｇ２は、サービスマンの呼出しをユーザーに要請する画面である。呼出画面Ｇ２は、第２メッセージＭ２を表示する。図７に示す例において、第２メッセージＭ２は、「サービスマンを呼び出して下さい。電話番号は、×××−○○○○−△△△△です。」である。
【００７７】
図１から図７を参照して説明したように、本実施形態に係る画像形成装置１は、電源切断、及び電源投入の時刻から、異常の有無を検出し、画像キャリブレーションを実行するべきか否かを判定する。その結果、不要な画像キャリブレーションを回避して、ダウンタイムを短縮できる。
【００７８】
本実施形態に係る画像形成装置１は、電源が所定の時刻で切断されなかったこと、電源が切断された後に電源が投入されるまでの経過時間が所定の時間でなかったこと、又は同一のジョブが連続して実行されることによって、異常の有無を判定する。本実施形態に係る画像形成装置１は、電源の切断前にエラーが生じていても、電源の投入後にエラーに対処できる。本実施形態に係る画像形成装置１は、画像キャリブレーションを実行しても効果がない場合には、画像キャリブレーションを除く調整処理を行なう。
【００７９】
以上、図面を参照しながら本実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状は一例であって、特に限定されるものではなく、本発明の構成から実質的に逸脱しない範囲で種々の変更が可能である。
【００８０】
（１）本実施形態では、画像形成装置１は、電子写真方式の複合機であったが、本発明はこれに限定されない。画像形成装置１は、例えば、インクジェット記録方式の複合機であってもよい。
【００８１】
（２）本実施形態では、画像形成装置１はカラー複合機であるが、本発明はこれに限定されない。本発明は、モノクロ複合機、カラーコピー機、又はモノクロコピー機にも適用され得る。
【００８２】
（３）本実施形態では、画像形成装置１は、電源が所定の時刻で切断されなかったこと、電源が切断された後に電源が投入されるまでの経過時間が所定の時間でなかったこと、又は同一のジョブが連続して実行されることに応じて、画像キャリブレーションを開始するが、本発明はこれに限定されない。本発明の画像形成装置１は、画像キャリブレーションを開始する前に、ユーザーに画像キャリブレーションを開始するか否かを尋ねる画面をディスプレー２０ａに表示してもよい。
【産業上の利用可能性】
【００８３】
本発明は、画像形成装置に利用可能である。
【符号の説明】
【００８４】
１      画像形成装置
１０    制御部
４０    画像形成部
【図１】
2020134819.tif 000003
【図２】
2020134819.tif 000004
【図３】
2020134819.tif 000005
【図４】
2020134819.tif 000006
【図５】
2020134819.tif 000007
【図６】
2020134819.tif 000008
【図７】
2020134819.tif 000009